(57)【要約】【課題】クライアントがアカウントを有するサーバにアカウントのない他のサーバを介して手間なくシームレスに接続することのできるサーバシステムを提供する。【解決手段】複数のサーバが専用ネットワークに接続されたサーバシステムであって、Ｂ社のサーバ１０ｂは、Ｂ社のクライアントが自サーバの許可するアカウントで接続してきた場合は、自サーバのサービスをクライアントに提供する通常動作となり、Ａ社のクライアントが専用ネットワーク上の他のサーバ１０ａ（Ａ社のサーバ）の許可するアカウントで接続してきた場合は、該クライアントを、自サーバ１０ｂおよび専用ネットワークを通じて他のサーバ１０ａに接続する中継動作を行う。【選択図】図１
2019082949.tif 000002
【特許請求の範囲】
【請求項１】
複数のサーバが専用ネットワークに接続されたサーバシステムであって、
前記サーバは、
クライアントが自サーバの許可するアカウントで接続してきた場合は、自サーバのサービスを前記クライアントに提供する通常動作となり、
クライアントが前記専用ネットワーク上の他のサーバの許可するアカウントで接続してきた場合は、前記クライアントを、自サーバおよび前記専用ネットワークを通じて前記他のサーバに接続する中継動作を行う、
ことを特徴とするサーバシステム。
【請求項２】
前記サーバは、前記中継動作を行う場合は自サーバのサービスを前記クライアントに提供しない
ことを特徴とする請求項１に記載のサーバシステム。
【請求項３】
前記サーバは、クライアントから受信したアカウントに所属情報が付加されている場合は、前記受信したアカウントが前記所属情報の示す他のサーバの許可するアカウントであるか否かを調べ、前記受信したアカウントが前記所属情報の示す他のサーバの許可するアカウントである場合に前記中継動作を行い、
クライアントは、該クライアントの属するサーバに接続するときは前記所属情報を付加しないアカウントを前記サーバに送信し、該クライアントの属さないサーバに接続するときは前記所属情報を付加したアカウントを前記サーバに送信する
ことを特徴とする請求項１または２に記載のサーバシステム。
【請求項４】
前記サーバは、クライアントから受信したアカウントに所属情報が付加されている場合に、前記受信したアカウントが前記所属情報が示す他のサーバの許可するアカウントであるか否かを、前記所属情報が示す他のサーバに問い合わせる
ことを特徴とする請求項３に記載のサーバシステム。
【請求項５】
各サーバのアドレスと所属情報とを対応付けて記憶している管理サーバを備え、
前記サーバは、クライアントから受信したアカウントに所属情報が付加されている場合に、前記所属情報に対応するサーバのアドレスを前記管理サーバに問い合わせる
ことを特徴とする請求項４に記載のサーバシステム。
【請求項６】
前記サーバは、各サーバのアドレスと所属情報とを対応付けて記憶したアドレスリストを有し、クライアントから受信したアカウントに所属情報が付加されている場合に、前記所属情報に対応するサーバのアドレスを前記アドレスリストを参照して特定する
ことを特徴とする請求項４に記載のサーバシステム。
【請求項７】
前記サーバは、前記中継動作において通信を暗号化する
ことを特徴とする請求項１乃至６のいずれか１つに記載のサーバシステム。
【請求項８】
中継先の他のサーバに直接接続した場合の通信品質が一定以下の場合は、別のサーバをさらに介在させたルートで前記中継動作を行う
ことを特徴とする請求項１乃至７のいずれか１つに記載のサーバシステム。
【請求項９】
別のサーバが介在する中継動作を許可するか否かの設定を、予めもしくは都度受け付ける設定部をさらに有する
ことを特徴とする請求項８に記載のサーバシステム。
【請求項１０】
前記サーバは、自サーバとの接続に適した場所情報をクライアントに通知する通知部を有する
ことを特徴とする請求項１乃至９のいずれか１つに記載のサーバシステム。
【請求項１１】
前記通知部は、クライアントに前記場所情報を地図情報として提供する
ことを特徴とする請求項１０に記載のサーバシステム。
【請求項１２】
前記所属情報は、ドメイン、ＩＤ、所属名、会社名、組織名、ＩＰアドレスのいずれかである
ことを特徴とする請求項３乃至６のいずれか１つに記載のサーバシステム。
【請求項１３】
課金管理サーバを有し、
該課金管理サーバは、前記中継動作に関する料金を、中継先のサーバの属する課金グループに課金する
ことを特徴とする請求項１乃至１２のいずれか１つに記載のサーバシステム。
【請求項１４】
前記課金管理サーバは、クライアントと一の課金グループに属するサーバとの通信を他の課金グループに属するサーバが中継した場合に生じた該中継に係る料金と、クライアントと前記他の課金グループに属するサーバとの通信を前記一の課金グループに属するサーバが中継した場合に生じた該中継に係る料金とを相殺する
ことを特徴とする請求項１３に記載のサーバシステム。
【請求項１５】
専用ネットワークに接続されたサーバであって、
接続してきたクライアントから受信したアカウントが自サーバの許可するアカウントか否かを確認する第１確認部と、
接続してきたクライアントから受信したアカウントが他のサーバの許可するアカウントか否かを確認する第２確認部と、
前記第１確認部によってアカウントが確認されたクライアントに自サーバのサービスを提供するサービス提供部と、
前記第２確認部によってアカウントが他のサーバの許可するアカウントであることが確認されたクライアントを、自サーバを介して、前記アカウントを許可する他のサーバに中継接続する中継部と、
を有する
ことを特徴とするサーバ。
【請求項１６】
前記サービス提供部は、前記中継部によって中継接続されるクライアントに対して自サーバのサービスを提供しない
ことを特徴とする請求項１５に記載のサーバ。
【請求項１７】
前記第２確認部は、クライアントから受信したアカウントに所属情報が付加されている場合は、前記受信したアカウントが前記所属情報の示す他のサーバの許可するアカウントであるか否かを調べる、
ことを特徴とする請求項１５または１６に記載のサーバ。
【請求項１８】
前記第２確認部は、前記受信したアカウントが前記所属情報の示す他のサーバの許可するアカウントであるか否かを、前記所属情報の示す他のサーバに問い合わせる
ことを特徴とする請求項１７に記載のサーバ。
【請求項１９】
前記第２確認部は、所属情報に対応するサーバのアドレスを、各サーバのアドレスと所属情報とを対応付けて記憶している管理サーバに問い合わせる
ことを特徴とする請求項１８に記載のサーバ。
【請求項２０】
各サーバのアドレスと所属情報とを対応付けて記憶したアドレスリストを有し、
前記第２確認部は、前記所属情報に対応するサーバのアドレスを前記アドレスリストを参照して特定する
ことを特徴とする請求項１８に記載のサーバ。
【請求項２１】
前記中継部は、前記中継接続する通信を暗号化する
ことを特徴とする請求項１５乃至２０のいずれか１つに記載のサーバ。
【請求項２２】
前記中継部は、前記アカウントを許可する他のサーバに直接中継接続した場合の通信品質が一定以下の場合は、別のサーバを介在させたルートで前記中継接続する
ことを特徴とする請求項１５乃至２１のいずれか１つに記載のサーバ。
【請求項２３】
別のサーバを介在させたルートによる中継接続を許可するか否かの設定を、予めもしくは都度受け付ける設定部をさらに有する
ことを特徴とする２２に記載のサーバ。
【請求項２４】
自サーバとの接続に適した場所情報をクライアントに通知する通知部を有する
ことを特徴とする請求項１５乃至２３のいずれか１つに記載のサーバ。
【請求項２５】
前記通知部は、クライアントに前記場所情報を地図情報として提供する
ことを特徴とする請求項２４に記載のサーバ。
【請求項２６】
前記所属情報は、ドメイン、ＩＤ、所属名、会社名、組織名、ＩＰアドレスのいずれかである
ことを特徴とする請求項１７乃至２０のいずれか１つに記載のサーバ。
【請求項２７】
情報処理装置を、
請求項１５乃至２６のいずれか１つに記載のサーバとして動作させるプログラム。
【発明の詳細な説明】
【技術分野】
【０００１】
本発明は、専用ネットワークを介して複数のサーバが接続されたサーバシステム、サーバおよび該サーバのプログラムに関する。
【背景技術】
【０００２】
社内のサーバに社外の客先や出先から接続したい場合、通常、公衆モバイル回線や公衆Wi-Fiが利用される。
【０００３】
１つの会社内においては、最適な中継を行ったり（下記特許文献１参照）、障害発生時にバックアップ装置に切り替えたりする（下記特許文献２参照）技術がある。
【先行技術文献】
【特許文献】
【０００４】
【特許文献１】特開２０１３−２１１６３３号公報
【特許文献２】特開２０１４−１４７０５５号公報
【発明の概要】
【発明が解決しようとする課題】
【０００５】
クライアントの端末が自社のサーバに公衆Wi-FiのAP（アクセスポイント）などから接続する場合、そもそも出先にそのようなAPがないことがある。出先でAPを利用可能であってもこれを利用するためにはゲストアカウントとパスワードを事前に取得しなければならない。また、モバイル回線を利用して自社のサーバに接続してサービスを受けながら移動しているときに電波が弱くなって、たとえば、公衆Wi-FiのAPに接続を切り替えるためには、改めてログインする必要があるため、シームレスにサービスの提供を受け続けることはできない。
【０００６】
なお、引用文献１、２は社内ネットワーク内での問題解決にすぎない。
【０００７】
本発明は、上記の問題を解決しようとするものであり、クライアントがアカウントを有するサーバにアカウントのない他のサーバを介して手間なくシームレスに接続することができるサーバシステム、サーバ、プログラムを提供することを目的としている。
【課題を解決するための手段】
【０００８】
かかる目的を達成するための本発明の要旨とするところは、次の各項の発明に存する。
【０００９】
［１］複数のサーバが専用ネットワークに接続されたサーバシステムであって、
前記サーバは、
クライアントが自サーバの許可するアカウントで接続してきた場合は、自サーバのサービスを前記クライアントに提供する通常動作となり、
クライアントが前記専用ネットワーク上の他のサーバの許可するアカウントで接続してきた場合は、前記クライアントを、自サーバおよび前記専用ネットワークを通じて前記他のサーバに接続する中継動作を行う、
ことを特徴とするサーバシステム。
【００１０】
上記発明および下記［１４］に示す発明では、クライアントが他のサーバの許可するアカウントで接続してきた場合は、該クライアントを、自サーバおよび専用ネットワークを通じて該他のサーバに中継接続する。
【００１１】
［２］前記サーバは、前記中継動作を行う場合は自サーバのサービスを前記クライアントに提供しない
ことを特徴とする［１］に記載のサーバシステム。
【００１２】
上記発明および下記［１７］に示す発明では、中継するクライアントは自サーバのアカウントを持つクライアントではないので、自サーバのサービスを提供しない。
【００１３】
［３］前記サーバは、クライアントから受信したアカウントに所属情報が付加されている場合は、前記受信したアカウントが前記所属情報の示す他のサーバの許可するアカウントであるか否かを調べ、前記受信したアカウントが前記所属情報の示す他のサーバの許可するアカウントである場合に前記中継動作を行い、
クライアントは、該クライアントの属するサーバに接続するときは前記所属情報を付加しないアカウントを前記サーバに送信し、該クライアントの属さないサーバに接続するときは前記所属情報を付加したアカウントを前記サーバに送信する
ことを特徴とする［１］または［２］に記載のサーバシステム。
【００１４】
上記発明では、サーバは、クライアントからのアカウントに所属情報が付加されているか否かにより、このクライアントが中継を望んでいるか否かを判別する。
【００１５】
［４］前記サーバは、クライアントから受信したアカウントに所属情報が付加されている場合に、前記受信したアカウントが前記所属情報が示す他のサーバの許可するアカウントであるか否かを、前記所属情報が示す他のサーバに問い合わせる
ことを特徴とする［３］に記載のサーバシステム。
【００１６】
上記発明および下記［１８］に示す発明では、サーバは、クライアントから受信したアカウントが所属情報が示す他のサーバの許可するアカウントであるか否かを、該所属情報が示す他のサーバに問い合わせる。
【００１７】
［５］各サーバのアドレスと所属情報とを対応付けて記憶している管理サーバを備え、
前記サーバは、クライアントから受信したアカウントに所属情報が付加されている場合に、前記所属情報に対応するサーバのアドレスを前記管理サーバに問い合わせる
ことを特徴とする［４］に記載のサーバシステム。
【００１８】
上記発明および下記［１９］に示す発明では、所属情報が示すサーバのアドレスを管理サーバに問い合わせる。
【００１９】
［６］前記サーバは、各サーバのアドレスと所属情報とを対応付けて記憶したアドレスリストを有し、クライアントから受信したアカウントに所属情報が付加されている場合に、前記所属情報に対応するサーバのアドレスを前記アドレスリストを参照して特定する
ことを特徴とする［４］に記載のサーバシステム。
【００２０】
上記発明および下記［２０］に示す発明では、所属情報が示すサーバのアドレスを、自前のアドレスリストを参照して特定する。
【００２１】
［７］前記サーバは、前記中継動作において通信を暗号化する
ことを特徴とする［１］乃至［６］のいずれか１つに記載のサーバシステム。
【００２２】
［８］中継先の他のサーバに直接接続した場合の通信品質が一定以下の場合は、別のサーバをさらに介在させたルートで前記中継動作を行う
ことを特徴とする［１］乃至［７］のいずれか１つに記載のサーバシステム。
【００２３】
上記発明および下記［２２］に示す発明では、直接接続の通信品質が低い場合は、他のサーバをさらに介在させた別のルートで中継する。
【００２４】
［９］別のサーバが介在する中継動作を許可するか否かの設定を、予めもしくは都度受け付ける設定部をさらに有する
ことを特徴とする［８］に記載のサーバシステム。
【００２５】
［１０］前記サーバは、自サーバとの接続に適した場所情報をクライアントに通知する通知部を有する
ことを特徴とする［１］乃至［９］のいずれか１つに記載のサーバシステム。
【００２６】
上記発明および下記［２４］に示す発明では、自サーバとの接続に適した場所を、文字、地図情報などでクライアントに通知する。
【００２７】
［１１］前記通知部は、クライアントに前記場所情報を地図情報として提供する
ことを特徴とする［１０］に記載のサーバシステム。
【００２８】
［１２］前記所属情報は、ドメイン、ＩＤ、所属名、会社名、組織名、ＩＰアドレスのいずれかである
ことを特徴とする［３］乃至［６］のいずれか１つに記載のサーバシステム。
【００２９】
［１３］課金管理サーバを有し、
該課金管理サーバは、前記中継動作に関する料金を、中継先のサーバの属する課金グループに課金する
ことを特徴とする［１］乃至［１２］のいずれか１つに記載のサーバシステム。
【００３０】
［１４］前記課金管理サーバは、クライアントと一の課金グループに属するサーバとの通信を他の課金グループに属するサーバが中継した場合に生じた該中継に係る料金と、クライアントと前記他の課金グループに属するサーバとの通信を前記一の課金グループに属するサーバが中継した場合に生じた該中継に係る料金とを相殺する
ことを特徴とする［１３］に記載のサーバシステム。
【００３１】
上記発明では、たとえば、Ａ会社のクライアントがＢ会社のサーバを中継点としてＡ会社のサーバと通信したときの中継料金１と、Ｂ会社のクライアントがＡ会社のサーバを中継点としてＢ会社のサーバと通信したときの中継料金２が発生したとき、中継料金１＞中継料金２ならば、（中継料金１−中継料金２）がＡ会社に請求され、Ｂ会社への請求はない。
【００３２】
［１５］専用ネットワークに接続されたサーバであって、
接続してきたクライアントから受信したアカウントが自サーバの許可するアカウントか否かを確認する第１確認部と、
接続してきたクライアントから受信したアカウントが他のサーバの許可するアカウントか否かを確認する第２確認部と、
前記第１確認部によってアカウントが確認されたクライアントに自サーバのサービスを提供するサービス提供部と、
前記第２確認部によってアカウントが他のサーバの許可するアカウントであることが確認されたクライアントを、自サーバを介して、前記アカウントを許可する他のサーバに中継接続する中継部と、
を有する
ことを特徴とするサーバ。
【００３３】
［１６］前記サービス提供部は、前記中継部によって中継接続されるクライアントに対して自サーバのサービスを提供しない
ことを特徴とする［１５］に記載のサーバ。
【００３４】
［１７］前記第２確認部は、接続時にクライアントから受信したアカウントに所属情報が付加されている場合は、前記受信したアカウントが前記所属情報の示す他のサーバの許可するアカウントであるか否かを調べる、
ことを特徴とする［１５］または［１６］に記載のサーバ。
【００３５】
［１８］前記第２確認部は、前記受信したアカウントが前記所属情報の示す他のサーバの許可するアカウントであるか否かを、前記所属情報の示す他のサーバに問い合わせる
ことを特徴とする［１７］に記載のサーバ。
【００３６】
［１９］前記第２確認部は、所属情報に対応するサーバのアドレスを、各サーバのアドレスと所属情報とを対応付けて記憶している管理サーバに問い合わせる
ことを特徴とする［１８］に記載のサーバ。
【００３７】
［２０］各サーバのアドレスと所属情報とを対応付けて記憶したアドレスリストを有し、
前記第２確認部は、前記所属情報に対応するサーバのアドレスを前記アドレスリストを参照して特定する
ことを特徴とする［１８］に記載のサーバ。
【００３８】
［２１］前記中継部は、前記中継接続する通信を暗号化する
ことを特徴とする［１５］乃至［２０］のいずれか１つに記載のサーバ。
【００３９】
［２２］前記中継部は、前記アカウントを許可する他のサーバに直接中継接続した場合の通信品質が一定以下の場合は、別のサーバを介在させたルートで前記中継接続する
ことを特徴とする［１５］乃至［２１］のいずれか１つに記載のサーバ。
【００４０】
［２３］別のサーバを介在させたルートによる中継接続を許可するか否かの設定を、予めもしくは都度受け付ける設定部をさらに有する
ことを特徴とする２２に記載のサーバ。
【００４１】
［２４］自サーバとの接続に適した場所情報をクライアントに通知する通知部を有する
ことを特徴とする［１５］乃至［２３］のいずれか１つに記載のサーバ。
【００４２】
［２５］前記通知部は、クライアントに前記場所情報を地図情報として提供する
ことを特徴とする［２４］に記載のサーバ。
【００４３】
［２６］前記所属情報は、ドメイン、ＩＤ、所属名、会社名、組織名、ＩＰアドレスのいずれかである
ことを特徴とする［１７］乃至［２０］のいずれか１つに記載のサーバ。
【００４４】
［２７］情報処理装置を、
［１５］乃至［２６］のいずれか１つに記載のサーバとして動作させるプログラム。
【発明の効果】
【００４５】
本発明に係るサーバシステム、サーバおよびプログラムによれば、クライアントがアカウントを有するサーバにアカウントのない他のサーバを介して手間なくシームレスに接続することができる。
【図面の簡単な説明】
【００４６】
【図１】本発明の実施の形態に係るサーバシステムの構成例の一部を示す図である。
【図２】サーバシステムで使用される中核装置の外観を示す斜視図である。
【図３】中核装置の概略構成を示すブロック図である。
【図４】サーバ部のＣＰＵが果たす機能を示す機能ブロック図である。
【図５】クライアントのモバイル端末の構成例を示すブロック図である。
【図６】サーバシステムの動作を示すシーケンス図である。
【図７】図６の続きを示すシーケンス図である。
【図８】所属Ａのモバイル端末が所属Ｂのサーバに中継された場合にモバイル端末に与えられる通信許可権限の範囲を示す図である。
【図９】所属情報と、アカウントに所属情報を付加したアドレス情報の各種の例を示す図である。
【図１０】中継による通信に切り替えるか否かの判断基準の例を示す図である。
【図１１】１点中継ルートと複数点中継ルートによる中継動作の例を示す図である。
【図１２】サーバの通知部が行う通知動作の例を示す図である。
【発明を実施するための形態】
【００４７】
以下、図面に基づき本発明の実施の形態を説明する。
【００４８】
図１は、本発明の実施の形態に係るサーバシステム３の構成例の一部を示している。図２は、サーバシステム３で使用される中核装置１０の外観を示している。中核装置１０は、原稿を光学的に読み取ってその複製画像を記録紙に印刷するコピー機能、読み取った原稿の画像データをファイルにして保存したり外部端末へネットワークを通じて送信したりするスキャン機能、ユーザの情報処理端末から受信した印刷データに基づいて印刷する印刷機能などを備えた画像形成装置の機能と、ファイルサーバ、ウェブサーバ、アプリケーションサーバなどの機能を持ち、クライアントからの要求に対してサービスを提供するサーバの機能とを複合させた装置である。
【００４９】
図１では、Ａ社に属する中核装置１０ａとＢ社に属する中核装置１０ｂは専用ネットワーク７（ＶＰＮ）で接続されている。なお、図示省略するが、Ａ社に属する中核装置１０ａはＡ社の社内のＬＡＮ（Local Area Network）に接続され、Ｂ社に属する中核装置１０ｂはＢ社の社内のＬＡＮに接続されている。また、中核装置１０は３以上であることが通常である。なお、以後、中核装置１０が有するサーバを単にサーバとも記す。
【００５０】
各中核装置１０はＡＰ（アクセスポイント）の機能を有し、Wi-Fiによって接続したクライアントのモバイル端末５０と通信することができる。中核装置１０とクライアントのモバイル端末５０との間の通信はBluetooth（登録商標）など他の方式による接続でもよい。クライアントのモバイル端末５０はモバイル回線での通信中にその通信速度が低下したような場合に自動的に中核装置１０のサーバを中継点とする通信に切り替えて通信できるかを試みるようになっている。以後、クライアントのモバイル端末５０を単にクライアント、もしくはモバイル端末５０とも記す。
【００５１】
中核装置１０のサーバは、クライアントのモバイル端末５０が自サーバの許可するアカウントで接続してきた場合は、自サーバのサービスをそのクライアントのモバイル端末５０に提供する。たとえば、Ｂ社の中核装置１０ｂのサーバが許可するアカウントを有するクライアントがＢ社の中核装置１０ｂのサーバに接続した場合、中核装置１０ｂのサーバは提供可能な各種のサービスを該クライアントからの要求に応じて該クライアントに提供する。
【００５２】
一方、中核装置１０のサーバは、クライアントが専用ネットワーク７上の他の中核装置１０のサーバの許可するアカウントで接続してきた場合は、該クライアントを、自サーバおよび専用ネットワーク７を通じて該アカウントを許可している他のサーバに中継接続する中継動作を行う。
【００５３】
たとえば、Ａ社のクライアントがＢ社の中核装置１０ｂのサーバに接続してきた場合、Ｂ社の中核装置１０ｂのサーバは、Ａ社の中核装置１０ａのサーバにこのクライアントがＡ社の中核装置１０ａのサーバが許可するクライアントであるかを確認する。そして、確認がとれた場合に、該クライアントを、専用ネットワーク７を通じてＡ社の中核装置１０ａのサーバに中継接続する。この場合、Ｂ社の中核装置１０ｂのサーバはこのクライアントに対してはファイルの閲覧を含む各種のサービスの提供を禁止する。
【００５４】
このように、中核装置１０のサーバは、接続要求を受けたクライアントが自サーバの許可するアカウントでない場合は専用ネットワーク７上の他のサーバの許可するアカウントか否かを確認し、他のサーバの許可するアカウントであればそのクライアントを該他のサーバに専用ネットワーク７を介して中継接続するので、クライアントは所属していないサーバに接続し、該サーバを介して自分の所属するサーバに簡単にかつシームレスに接続することができる。
【００５５】
図３は、中核装置１０の概略構成を示すブロック図である。中核装置１０は、サーバ部２０と、画像形成装置部３０を備えている。
【００５６】
サーバ部２０は、バス２１に、ＣＰＵ（Central Processing Unit）２２、ＲＡＭ（Random Access Memory）２３、ＲＯＭ（Read Only Memory）２４、記憶装置２５、通信部２６、外部通信機接続部２７等を接続して構成される。
【００５７】
ＣＰＵ２２とＲＡＭ２３とＲＯＭ２４はサーバ部２０の制御部を構成する。ＣＰＵ２２はＲＯＭ２４や記憶装置２５に格納されているプログラムを実行する。ＲＡＭ２３は、ＣＰＵ２２がプログラムに基づいて処理を実行する際に各種のデータを一時的に格納するワークメモリとして使用される。
【００５８】
記憶装置２５は、ハードディスク装置等の大容量・不揮発の記憶装置である。記憶装置２５には、クライアントに提供する各種のデータ、画像形成装置部３０から転送された画像ファイルなどが保存される。
【００５９】
通信部２６は、ネットワークや専用ネットワーク７を通じて他のサーバやその他の外部装置との間で通信する機能を果たす。また通信部２６は、画像形成装置部３０のバス３１とサーバ部２０のバス２１との間を中継するように接続されており、画像形成装置部３０とサーバ部２０との間でデータやコマンドの転送を行う。
【００６０】
外部通信機接続部２７は、無線Wi-FiのＡＰとしての機能、Bluetooth（登録商標）による無線通信でモバイル端末５０等のクライアントと接続して通信する機能、有線ＬＡＮでクライアントの端末を接続する機能を果たす。
【００６１】
画像形成装置部３０は、画像形成装置部３０の動作を統括的に制御するＣＰＵ３２を有している。ＣＰＵ３２にはバス３１を通じてＲＡＭ３３、記憶装置３４、操作パネル３５、スキャナ３６、プリンタエンジン３７などが接続されている。
【００６２】
ＣＰＵ３２は、ＯＳ（Operating System）プログラムをベースとし、その上で、ミドルウェアやアプリケーションプログラムなどを実行する。また、記憶装置３４には、各種のプログラムが格納されており、これらのプログラムに従ってＣＰＵ３２が各種処理を実行することで画像形成装置部３０としての各機能が実現される。
【００６３】
ＲＡＭ３３は、ＣＰＵ３２がプログラムに基づいて処理を実行する際に各種のデータを一時的に格納するワークメモリや画像データを格納する画像メモリなどとして使用される。
【００６４】
記憶装置３４は、不揮発・大容量のメモリである。ここでは、記憶装置３４としてＳＳＤ（Solid State Drive）を使用する。なお、記憶装置３４はハードディスク装置であってもよい。記憶装置３４には、プログラムのほか、画像データ、画像形成装置部３０の状態を示すパラメータ、画像形成装置部３０の各機能の使用履歴、累積の使用状況、動作ログなどの情報が記憶される。記憶装置３４はサーバ部２０からもアクセスすることができる。
【００６５】
スキャナ３６は、原稿を光学的に読み取って画像データを取得する機能を果たす。スキャナ３６は、例えば、原稿トレイに載置された原稿を搬送する原稿搬送装置、搬送される原稿に所定の読み取り位置で光を照射する光源と、その反射光を受けて原稿を幅方向に１ライン分読み取るラインイメージセンサ、該ラインイメージセンサの出力するアナログ画像信号をデジタルの画像データに変換する変換部などを備えて構成される。
【００６６】
プリンタエンジン３７は、画像データに応じた画像を記録紙上に画像形成(印刷)する機能を果たす。ここでは、プリンタエンジン３７は、記録紙の搬送装置と、感光体ドラムと、帯電装置と、レーザーユニットと、現像装置と、転写分離装置と、クリーニング装置と、定着装置とを有して構成されており、電子写真プロセスによって画像形成を行う。画像形成の方式は他の方式でもかまわない。
【００６７】
操作パネル３５は、液晶ディスプレイ（ＬＣＤ…Liquid Crystal Display）などで構成され、各種の操作画面、設定画面などを表示する表示部と、ユーザ操作を受け付ける操作部を有する。操作部は、テンキーやスタートボタンなどのハードキーと、表示部の物理的画面上に設けられてタッチペンや指などによる接触位置を検出するタッチパネルを備える。
【００６８】
図４は、サーバ部２０のＣＰＵ２２の機能ブロック図を示している。サーバ部２０のＣＰＵ２２はプログラムを実行することにより、アカウント管理部４１、第１アカウント確認部４２、第２アカウント確認部４３、サービス提供部４４、中継部４５、設定部４６、通知部４７、課金情報送信部４８などの機能を果たす。
【００６９】
アカウント管理部４１は、サーバ部２０が許可するアカウントおよびそのアカウントのパスワード等を記憶装置２５の所定領域（アカウント登録部とする）に登録して管理する。第１アカウント確認部４２は、通信部２６や外部通信機接続部２７を介して接続してきたクライアントから受信したアカウント情報の示すアカウントが自サーバの許可するアカウントか否か（アカウント登録部に登録されているか否か）を確認する機能を果たす。
【００７０】
第２アカウント確認部４３は、通信部２６や外部通信機接続部２７を介して接続してきたクライアントから受信したアカウント情報が示すアカウントが他のサーバの許可するアカウントか否かを確認する。ここでは、クライアントから受信したアカウント情報がアカウントに所属情報を付加したものである場合は、該受信したアカウント情報に含まれるアカウントがその所属情報の示す他のサーバの許可するアカウントであるか否かを調べる。確認方法としては、該所属情報の示すサーバに問い合わせる。たとえば、所属情報とその所属情報の示すサーバのアドレスを紐付けて登録したアドレスリストを各サーバが保持しておき、このアドレスリストを参照することで目的の所属情報に対応するサーバのアドレスを取得し、そのアドレスのサーバに問い合わせる。
【００７１】
あるいは、すべての所属情報と各所属情報の示すサーバのアドレスを対応付けて記憶管理する別途のサーバである管理サーバを専用ネットワーク７上に設け、該管理サーバに、目的の所属情報に対応するサーバのアドレスを問い合わせる。
【００７２】
所属情報は、たとえば、ドメイン、ＩＤ、所属名、会社名、組織名、ＩＰアドレスのいずれかを使用する。
【００７３】
サービス提供部４４は、クライアントから要求されたサービスをその要求元のクライアントに提供する。サービスはファイルサーバ、ウェブサーバ、アプリケーションサーバが提供するような各種のサービスである。たとえば、当該サーバ部２０が保持するデータ（ファイル）等へのアクセスやダウンロードのサービスを提供する。サービス提供部４４は、第１アカウント確認部４２によってアカウントの確認されたクライアントには上記のサービスを提供可能となり、クライアントからの要求に応じて提供する。一方、サービス提供部４４は、第２アカウント確認部４３によってアカウントの確認されたクライアントや中継部４５が中継接続するクライアントにはサービスの提供を禁止し、提供しない。
【００７４】
中継部４５は、第２アカウント確認部４３によって他のサーバの許可するアカウントであることが確認されたクライアントを、自サーバおよび専用ネットワーク（あるいはＬＡＮ）を介して、該アカウントを許可する他のサーバに中継接続する中継動作を行う。第２アカウント確認部４３によってアカウントが確認されたクライアント以外については、ＬＡＮや専用ネットワーク７を通じた中継動作は行わない。
【００７５】
中継部４５は該中継動作において通信を暗号化する。暗号化はクライアントから受信する通信内容が暗号化されていない場合だけ行ってもよいし、クライアントから受信する通信内容が既に暗号化されている場合でも２重に暗号化してもよい。また、中継先の他のサーバ（所属情報が示す他のサーバ）に直接接続した場合の通信品質が一定以下の場合（低速、繋がらないときを含む）は、別のサーバをさらに介在させたルート（複数のサーバが介在する複数点中継ルート）で中継動作を行う。
【００７６】
設定部４６は、別のサーバがさらに介在する複数点中継ルートによる中継動作をユーザが許可するか否かの設定を予め受け付けて記憶しておく、もしくはその都度受け付ける。その都度の受け付ける場合は、たとえば、接続しているクライアントに問い合わせて設定を受け付ける。中継部４５は中継先の他のサーバに直接接続した場合の通信品質が一定以下の場合、上記の設定が「複数点中継ルートを許可する」であれば別のサーバをさらに介在させたルートで中継動作を行い、上記の設定が「複数点中継ルートを許可しない」であれば、所属情報が示す中継先のサーバに直接接続する１点中継ルートで中継動作を行う。
【００７７】
通知部４７は、クライアントに、自サーバとの接続に適した場所情報を通知する。たとえば、クライアントの現在位置と、接続に適した場所（クライアントが移動すべき場所）とを地図上に表した地図情報をクライアントに提供することで、接続に適した場所情報をクライアントに通知する。
【００７８】
課金情報送信部４８は、通信料、中継料、サービス提供料などについて課金するために、料金の発生項目、発生日時、金額、料金を発生させたクライアントの所属する会社や組織に関する情報、自サーバの所属する会社や組織に関する情報、などを示す課金情報を専用ネットワーク７上の課金サーバへ送信する。課金サーバは、各サーバから受信した課金情報に基づいて、各サーバが所属する会社や組織に課金する。課金は金額またはポイントで行う。
【００７９】
サーバシステム３では、課金額（またはポイント）を課金額内で会社や組織間で相互に貸し借りして相殺することができる。たとえば、Ｂ社のサーバにＡ社の社員のモバイル端末が接続してＢ社のサーバが中継動作を行うとその料金ａはＡ社に課金され、Ａ社のサーバにＢ社の社員のモバイル端末が接続してＡ社のサーバが中継動作を行うとその料金ｂはＢ社に課金されるが、実際の請求ではこれらを相殺する。料金ａ＞料金ｂの場合、相殺により、（ａ−ｂ）の金額をＡ社に請求する。
【００８０】
図５は、クライアントのモバイル端末５０の構成例を示している。モバイル端末５０は、当該モバイル端末５０の動作を統括的に制御するＣＰＵ５１を有している。ＣＰＵ５１にはバスを通じてＲＯＭ５２、ＲＡＭ５３、不揮発メモリ５４、操作パネル５５、認証部５６、通信部５７、外部機器通信部５８などが接続されている。
【００８１】
ＣＰＵ５１は、ＯＳプログラムをベースとし、その上で、ミドルウェアやアプリケーションプログラムなどを実行する。ＲＯＭ５２には、各種のプログラムが格納されており、これらのプログラムに従ってＣＰＵ５１が各種処理を実行することでモバイル端末５０の各機能が実現される。
【００８２】
ＲＡＭ５３は、ＣＰＵ５１がプログラムに基づいて処理を実行する際に各種のデータを一時的に格納するワークメモリなどとして使用される。不揮発メモリ５４は、電源をオフにしても記憶内容が破壊されないメモリ（フラッシュメモリ）であり、各種設定情報の保存などに使用される。
【００８３】
操作パネル５５は、操作部と表示部を備えている。表示部は各種の操作画面、設定画面等を表示する機能を果たす。表示部は液晶ディスプレイとそのドライバなどで構成される。操作部はユーザから各種の操作を受ける機能を果たす。操作部は少数のハードキーと表示部の表示面上に設けられたタッチスクリーンで構成される。タッチスクリーンは、タッチペンや指などで接触操作された座標位置を検出する。
【００８４】
認証部５６は、モバイル端末５０を使用するユーザを認証する。認証方法は、パスワード、指紋、静脈などを用いた任意の方法でよい。
【００８５】
通信部５７は、モバイル回線を通じて基地局と通信する機能を果たす。接続した基地局からインターネットに接続し、さらに専用ネットワーク７のサーバに接続することができる。外部機器通信部５８は、無線ＬＡＮ、Wi-FiのＡＰなどに無線で接続する。Bluetooth（登録商標）で接続する機能も果たす。たとえば、中核装置１０のサーバ部２０の外部通信機接続部２７に無線接続する。外部機器通信部５８は有線接続で中核装置１０のサーバ部２０の外部通信機接続部２７に接続することも可能になっている。
【００８６】
ＣＰＵ５１はプログラムを実行することで所属内外判断部６１、アカウント送信部６２などの機能を果たす。所属内外判断部６１は、中核装置１０のサーバ部２０のＡＰ（外部通信機接続部２７）から受信した情報に基づいて、自端末の所属とサーバ部２０の所属が一致するか否かを判断する。アカウント送信部６２は、所属内外判断部６１の判断結果が「所属が一致しない」の場合はユーザのアカウントに所属情報を付加したアカウント情報を送信する制御を行う。一方、所属内外判断部６１の判断結果が「所属が一致する」の場合はユーザのアカウントをそのまま（所属情報を付加せずに）アカウント情報として送信する制御を行う。実際の送信は外部通信機接続部５８により行われる。
【００８７】
このほか、モバイル端末５０は、サーバ部２０の通知部４７から通知された場所情報（メッセージや地図情報）を表示する機能を果たす。モバイル端末５０は、モバイル回線で自端末の所属するサーバと通信中にその通信速度が低下したような場合は、中核装置１０のサーバ部２０を中継点とする通信に切り替え可能か否かを調べ、切り替え可能ならば自動的に切り替える動作を行う。
【００８８】
図６、図７は、サーバシステム３の動作を示すシーケンス図である。ここでは、モバイル端末５０は所属Ａのクライアントの端末であり、モバイル回線を通じてＡ社のサーバと通信中であるものとする。この状態でモバイル端末５０にてWi-Fiがオンにされると（ステップＳ１０１）、モバイル回線との接続状態をチェックし、モバイル回線に接続できない、もしくは接続できても低速となるか否かを判断する（ステップＳ１０２）。なお、初期状態がモバイル回線に接続中でない場合も同様の動作を行う。
【００８９】
低速でないモバイル回線があれば（ステップＳ１０２;Ｎｏ）、本処理を終了してモバイル回線を使用した通信を行う。モバイル回線がないもしくは低速の場合は（ステップＳ１０２;Ｙｅｓ）、中核装置１０のサーバ部２０のＡＰに接続可能か否かを調べる（ステップＳ１０３）。中核装置１０のサーバ部２０のＡＰに接続できない場合は（ステップＳ１０３;Ｎｏ）、本処理を終了する。なお、中核装置１０のサーバ部２０との接続は必ずしもＡＰを介したものでなくてもよく、有線でも、Bluetooth（登録商標）であってよい。
【００９０】
中核装置１０のサーバ部２０のＡＰに接続可能な場合は（ステップＳ１０３;Ｙｅｓ）、その中核装置のサーバ部２０のＡＰに接続要求を送信する（ステップＳ１０４）。ここでは、所属Ａのモバイル端末５０が所属Ｂのサーバに接続する。
【００９１】
クライアントのモバイル端末５０から接続要求を受けたサーバは該モバイル端末５０を接続し（ステップＳ２０１）、該モバイル端末５０に対してアカウント情報を要求する（ステップＳ２０２）。このとき、自サーバのＡＰ情報をモバイル端末５０に送信する。
【００９２】
所属Ａのモバイル端末５０はサーバからアカウント情報の要求およびＡＰ情報を受信し（ステップＳ１０５）、受信したＡＰ情報に含まれる送信元のサーバ（ＡＰ）の所属情報と自モバイル端末の所属を比較して、自モバイル端末５０が接続要求先のサーバの所属外か否かを判断する（ステップＳ１０６）。
【００９３】
自モバイル端末５０が接続要求先のサーバの所属外ならば（ステップＳ１０６;Ｙｅｓ）、自モバイル端末５０（クライアント）のアカウントに該クライアントの所属情報を付加したアカウント情報を要求元のサーバに送信する（ステップＳ１０７）。自モバイル端末５０が接続要求先のサーバに所属している場合は（ステップＳ１０６;Ｎｏ）、所属情報を付加せずに自モバイル端末（クライアント）のアカウントをアカウント情報として、要求元のサーバに送信する（ステップＳ１０８）。
【００９４】
アカウント情報の要求元のサーバは、クライアントからのアカウント情報を受信し（ステップＳ２０４）、該アカウント情報が、所属情報の付加されたものか否かを判断する（ステップＳ２０５）。所属情報の付加されたものでなければ（ステップＳ２０５;Ｎｏ）、受信したアカウント情報に含まれるアカウントが自サーバの許可するアカウントか否かを判断する（ステップＳ２０６）。
【００９５】
受信したアカウント情報に含まれるアカウントが自サーバの許可するアカウントならば（ステップＳ２０６;Ｙｅｓ）、通常接続処理を行う（ステップＳ２０８）。すなわち、クライアントからの要求に応じてサービスを提供する。受信したアカウント情報に含まれるアカウントが自サーバの許可するアカウントでない場合は（ステップＳ２０６;Ｎｏ）、該モバイル端末５０との接続を切断する（ステップＳ２０８）。
【００９６】
受信したアカウント情報が所属情報の付加されたものである場合は（ステップＳ２０５;Ｙｅｓ）、受信したアカウント情報から所属情報を抽出し（ステップＳ２０９）、この所属情報に対応するサーバのアドレスを特定する（ステップＳ２１０）。ここでは、所属情報と該所属情報に対応するサーバのアドレスが紐付けて登録されたアドレスリストを、抽出した所属情報で参照して、該抽出した所属情報に対応するサーバのアドレスを特定する。
【００９７】
サーバ（ここでは、所属Ｂのサーバ）は、ステップＳ２１０で特定したアドレスのサーバ（所属Ａのサーバ）に、ステップＳ２０４で受信したアドレス情報に含まれるアカウントの存在（許可するアカウントであるか）の確認を要求する（ステップＳ２１１）。
【００９８】
該確認の要求を受信したサーバ（所属Ａのサーバ）は、受信したアカウントの存在を確認し（ステップＳ３０１）、その結果（アカウントの存否）を返答する（ステップＳ３０２）。
【００９９】
確認の要求の送信元のサーバ（所属Ｂ）は上記の返答を受信し（ステップＳ２１２）、この返答がアカウントの存在無しを示す場合は（ステップＳ２３１;Ｎｏ）、ステップＳ２０４で受信したアカウント情報の送信元のモバイル端末５０に該返答を送信する（ステップＳ２１４）。
【０１００】
この返答を受信したモバイル端末５０は、返答の送信元のサーバとの接続を終了させる（ステップＳ１０９）。
【０１０１】
ステップＳ２１２で受信した返答がアカウントの存在ありを示す場合は（ステップＳ２１３;Ｙｅｓ）、ステップＳ２０４で受信したアカウント情報の送信元のモバイル端末５０に該返答を送信する（ステップＳ２１５）。
【０１０２】
ステップＳ２１５で送信された返答を受信したモバイル端末５０は、該返答の送信元のサーバ（所属Ｂのサーバ）を中継点として自モバイル端末５０の所属するサーバ（所属Ａのサーバ）との間の通信を開始し（ステップＳ１１０）、該通信を継続実施する（ステップＳ１１１）。このとき、所属Ｂのサーバは、モバイル端末５０から所属Ａのサーバへの通信を中継し（ステップＳ２１６）、所属Ａのサーバは、所属Ｂのサーバを中継点とするモバイル端末５０との通信を実行する（ステップＳ３０３）。
【０１０３】
図８は、所属Ａのクライアント（モバイル端末５０）が所属Ｂのサーバおよび専用ネットワーク７を介して所属Ａのサーバと中継接続された場合に該モバイル端末５０に与えられる通信許可権限の範囲を示している。モバイル端末５０は、中継点である所属Ｂのサーバにおいては、通信部２６（および接続中の外部通信機接続部２７）のみ利用でき、該サーバが保持するデータへのアクセスや該サーバが提供可能なサービスの提供は禁止される。一方、中継接続先の所属Ａのサーバについては通信部２６を利用できるほか、該所属Ａのサーバが保持するデータへのアクセスやダウンロードも可能であり、該所属Ａのサーバが提供する各種のサービスを受けることができる。
【０１０４】
図９は、所属情報と、アカウントに所属情報を付加したアドレス情報の各種の例を示している。この表では最左の欄は所属情報の種類を示し、中央の欄はその左側の欄に示す所属情報の種類に対応する所属情報の例を、最右の欄は、その左側に示す所属情報の例をアカウントに付与したアカウント情報の例を示している。この例では、アカウントはすべて「Id***」である。なお、アカウントは、クライアントが自分の会社や組織の提供するサービスを利用する際に使用するアカウントとすることが好ましい。
【０１０５】
サーバシステム５では、クライアントのモバイル端末５０は、モバイル回線を介して自端末と同じ所属のサーバと通信中に、モバイル回線による通信品質が低下しかつ利用可能な中核装置１０のサーバ部２０がある場合は、モバイル回線を介した通信から中核装置１０のサーバ部２０を介した通信にシームレスに切り替える。
【０１０６】
図１０は、上記のように通信を切り替えるか否かの判断基準の例を示している。たとえば、モバイル回線での通信速度 ＜ 中核装置のサーバ部を経由した場合の通信速度 となる場合に、通信をモバイル回線から中核装置１０のサーバ部２０を介した通信に切り替える。また、モバイル回線の電波強度 ＜ 中核装置のサーバ部のＡＰと通信する場合の電波強度 となる場合に、通信をモバイル回線から中核装置１０のサーバ部２０を介した通信に切り替える。切り替えの判断基準はこれらに限定されず任意でよい。また、複数の基準を組み合わせてもよい。たとえば、料金と通信速度の組み合わせを切り替え基準とすることができる。
【０１０７】
図１１は、１点中継ルートによる中継動作の例と、複数点中継ルートによる中継動作の例を示している。図１１（ａ）は、所属Ａのクライアントから接続を受けた所属Ｂのサーバが、中継先である所属Ａのサーバに直接接続して中継する場合（１点中継ルート）の例である。このような一点中継ルートで中継動作の通信品質が一定以下（通信速度が一定以下、あるいは繋がらないなど）に低下したとき、サーバＢは、別のサーバをさらに介在させる複数点中継ルートに切り替える。図１１（ｂ）の複数点中継ルートの例では、所属Ｃのサーバを新たな中継点としてさらに介在させている。すなわち、所属Ｂのサーバはクライアントとの通信を所属Ｃのサーバに中継し、所属Ｃのサーバは所属Ｂのサーバとの通信を所属Ａのサーバに中継する。
【０１０８】
所属Ｃのサーバを中継点として追加する場合、所属Ｂのサーバはクライアントから受信した、所属情報の付加されたアカウント情報を所属Ｃのサーバに送信して接続要求する。これを受けた所属Ｃのサーバは図６のステップＳ２０４以降と同様の動作を行えばよい。所属Ｃのサーバがさらに中継点を増やす場合は、所属Ｂのサーバから受信した所属情報の付加されたアカウント情報を、新たに中継点とするサーバに送信すればよい。これを受けたサーバは図６のステップＳ２０４以降と同様の動作を行えばよい。
【０１０９】
中継部４５は、設定部４６により、「複数点中継ルートを許可しない」の設定が予め成されている場合は、複数点中継ルートによる中継は行わない。あるいは、複数点中継ルートに切り替える際に、モバイル端末５０のユーザに「複数点中継ルートを使用してもよいか」を問い合わせし、許可を得た場合は複数点中継ルートに切り替えて中継動作を行い、許可されない場合は複数点中継ルートによる中継動作は行わない。
【０１１０】
図１２は、サーバ部２０の通知部４７が行う通知動作の例を示している。接続してきたクライアントのモバイル端末５０との間の電波強度が十分でない場合に、同図（ａ）に示すような、メッセージによる通知を行う。ユーザが表示されたこのメッセージの領域をタップ等すると、接続しているサーバと安定的に接続可能な接続方法および該方法で通信するのに適した場所情報を文字や地図情報で表示する。文字では、たとえば、「右方向へ○○ｍ移動すれば、好適な電波強度が得られます。」といったメッセージが表示される。表示に係る情報はサーバ部２０からモバイル端末５０へ送信され、これを受信したモバイル端末５０が該受信した情報に基づいて文字や地図を表示する。Bluetooth（登録商標）やWi-Fiで安定的な通信が確保できる場合は有線接続に関する情報よりもその情報が優先して表示される。安定的な接続が有線でしか行えない場合には有線での接続を促す場所情報が表示される。
【０１１１】
同図（ｂ）、同図（ｃ）は、接続に適した場所情報を地図情報で表した例を示している。同図（ｂ）は、クライアントのモバイル端末５０とサーバ部２０のＡＰのアンテナとの相対的な位置関係を地図で示している。ユーザはどの方向へどの程度移動すればＡＰとの接続に適した領域に入るかを知ることができる。同図（ｃ）は、有線で接続する場合の場所情報を地図で示している。クライアントのモバイル端末５０と有線による接続口のある場所（中核装置の背面等）との相対的な位置関係が地図で示してある。地図情報はモバイル端末５０の画面の一部あるいは全面に表示される。
【０１１２】
このように本発明によれば、クライアントが自サーバの許可するアカウントで接続してきた場合は、自サーバのサービスをそのクライアントに提供する通常動作となり、クライアントが専用ネットワーク上の他のサーバの許可するアカウントで接続してきた場合は、そのクライアントを、自サーバおよび専用ネットワークを通じて、該アカウントを許可する他のサーバに接続する中継動作を行うので、たとえば、アカウントのない他社のサーバを中継点に利用して、自社のサーバに接続することができる。そして、中継に係る通信は暗号化されるので、安全性の高い通信を確保することができる。
【０１１３】
また、公衆Wi-Fiなどのようにログインし直す必要もないので、シームレスに通信を継続することができる。
【０１１４】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１５】
実施の形態では、所属外のサーバに接続する場合に、クライアントのモバイル端末５０が、アカウントに所属情報を付加したアカウント情報を接続先のサーバに送信するようにしたが、常にアカウントに所属情報を付加したアカウント情報を送信し、サーバ側で、アカウントに付加された所属情報の示す所属先が自サーバか否かを判断するようにしてもよい。所属情報の示す所属先が自サーバならば第１アカウント確認部４２が動作し、所属情報の示す所属先が自サーバでなければ第２アカウント確認部４３が動作するようにすればよい。
【０１１６】
図１１に示す所属情報は一例であり、これに限定されるものではない。実施の形態では、中核装置１０としてサーバ部２０と画像形成装置部３０を複合させた装置を例示したが、他の装置とサーバ部２０とが組み合わされた装置であってもよいし、サーバ部２０のみが独立したサーバとして存在してもよい。
【符号の説明】
【０１１７】
３…サーバシステム
４…クライアント
７…専用ネットワーク
１０…中核装置
２０…サーバ部
２１…バス
２２…ＣＰＵ
２３…ＲＡＭ
２４…ＲＯＭ
２５…記憶装置
２６…通信部
２７…外部通信機接続部
３０…画像形成装置部
３１…バス
３２…ＣＰＵ
３３…ＲＡＭ
３４…記憶装置
３５…操作パネル
３６…スキャナ
３７…プリンタエンジン
４１…アカウント管理部
４２…第１アカウント確認部
４３…第２アカウント確認部
４４…サービス提供部
４５…中継部
４６…設定部
４７…通知部
４８…課金情報送信部
５０…モバイル端末
５１…ＣＰＵ
５２…ＲＯＭ
５３…ＲＡＭ
５４…不揮発メモリ
５５…操作パネル
５６…認証部
５７…通信部
５８…外部機器通信部
６１…所属内外判断部
６２…アカウント送信部
【図１】
2019082949.tif 000003
【図２】
2019082949.tif 000004
【図３】
2019082949.tif 000005
【図４】
2019082949.tif 000006
【図５】
2019082949.tif 000007
【図６】
2019082949.tif 000008
【図７】
2019082949.tif 000009
【図８】
2019082949.tif 000010
【図９】
2019082949.tif 000011
【図１０】
2019082949.tif 000012
【図１１】
2019082949.tif 000013
【図１２】
2019082949.tif 000014